(57)【要約】【課題】タブ部材の湾曲を抑制する。【解決手段】飲料用紙容器１Ｄは，筒状の胴部と，胴部の上端を閉じる天部12と，胴部の下端を閉じる底部とを備え，上記天部12に飲み口14があけられており，上記飲み口14が，上記天部12の外面において上記飲み口14の周囲の全体に接着されたタブ部材21によって塞がれている。天部12の外面に飲み口14から離れて凸状突起部15が形成されている。タブ部材21に上記凸状突起部15に向かってのびる未接着の摘み部21Ａが設けられ，上記未接着の摘み部21Ａの一部が上記凸状突起部15に乗り上げている。タブ部材21の未接着範囲には押し罫41が形成されており，タブ部材21の湾曲が押し罫41によって抑制される。【選択図】図９
2019034796.tif 000002
【特許請求の範囲】
【請求項１】
筒状の胴部と，胴部の上端を閉じる天部と，胴部の下端を閉じる底部とを備え，上記天部に飲み口があけられており，上記飲み口が，上記天部の外面において上記飲み口の周囲の全体に接着されたタブ部材によって塞がれている飲料用紙容器において，
上記天部の外面に上記飲み口から離れて凸状突起部が形成されており，
上記タブ部材に上記凸状突起部に向かってのびる未接着の摘み部が設けられ，上記未接着の摘み部の少なくとも一部が上記凸状突起部に乗り上げており，
上記タブ部材の未接着範囲に押し罫が形成されている，
飲料用紙容器。
【請求項２】
上記タブ部材が，紙を基材とし，内面にポリエチレンが積層されたものである，
請求項１に記載の飲料用紙容器。
【請求項３】
上記押し罫が，上記タブ部材の接着範囲と上記凸状突起部との間に位置している，
請求項１または２に記載の飲料用紙容器。
【請求項４】
上記押し罫が，上記飲み口と上記凸状突起部と結ぶ方向と直交する方向に直線状に形成されている，
請求項３に記載の飲料用紙容器。
【請求項５】
上記タブ部材を上記天部の外面に接着する接着範囲が上記凸状突起部に向かって先細に設けられており，
上記押し罫が，先細の接着範囲に沿ってＶ字形に形成されている，
請求項３に記載の飲料用紙容器。
【発明の詳細な説明】
【技術分野】
【０００１】
この発明は飲料用紙容器に関する。
【背景技術】
【０００２】
天部にあけられた飲み口をタブ部材によって封止した飲料用紙容器が知られている。タブ部材を天部から引き剥がすことで飲み口が開封される。
【０００３】
特許文献１は，タブ部材を引き剥がすときにタブ部材をつまみやすくするために，タブ部材に切起しを形成したものを開示する。
【先行技術文献】
【特許文献】
【０００４】
【特許文献１】実開平４−１０６２２４号公報
【０００５】
しかしながら，飲み口を封止するタブ部材は比較的小さい（面積が狭い）ので，タブ部材に大きな切起しを形成するのは難しい。またタブ部材は一般に薄いシートで作られるから，しっかりとした，安定した切起しをタブ部材に形成するのは困難である。
【発明の開示】
【０００６】
この発明は，タブ部材をさらにつまみやすくして，これによりタブ部材を引き剥がすときの開封性を向上することを目的とする。
【０００７】
この発明による飲料用紙容器は，筒状の胴部と，胴部の上端を閉じる天部と，胴部の下端を閉じる底部とを備え，上記天部に飲み口があけられており，上記飲み口が，上記天部の外面において上記飲み口の周囲の全体に接着されたタブ部材によって塞がれているもので，上記天部の外面に上記飲み口から離れて凸状突起部が形成されており，上記タブ部材に上記凸状突起部に向かってのびる未接着の摘み部が設けられ，上記未接着の摘み部の少なくとも一部が上記凸状突起部に乗り上げていることを特徴とする。タブ部材は熱可塑性樹脂によって天部の外面に熱溶着してもよいし，接着剤を用いて天部の外面に接着してもよい。
【０００８】
飲料用紙容器の天部には飲み口があけられており，さらに天部の外面には飲み口から離れて凸状突起部が形成されている。飲み口を塞ぐタブ部材に設けられた未接着の摘み部は上記凸状突起部に向かってのび，その少なくとも一部が上記凸状突起部に乗り上げている（被さっている，載っている）。凸状突起部に乗り上げた未接着の摘み部は，凸状突起部に沿って外向きに盛り上がるまたは天部との間にすき間を形成するので，摘み部に爪ないし指先をかけやすく，めくりやすい。めくれた摘み部はその後に簡単に指でつまむことができるから，開封作業（タブ部材の引き剥がし）が容易になる。凸状突起部は飲料用紙容器の天部に形成されるので，比較的大きな，しっかりとした突起部を形成することができる。また飲料用紙容器の成形工程において凸状突起部を形成することができるから加工性もよい。凸状突起部は，平面から見て長方形，円形など任意の形状に形成することができる。また複数の凸状突起部を天部に形成してもよい。
【０００９】
上記凸状突起部の，上記摘み部（タブ部材）の幅に対応する方向の寸法は，上記摘み部の幅よりも短くても長くてもよい。上記凸状突起部の上記摘み部の幅に対応する方向の寸法を上記摘み部の幅よりも短くすると，凸状突起部からはみ出した未接着の摘み部と飲料用紙容器の天部との間にすき間が確保されるので，そのすき間から摘み部に爪ないし指先をかけやすくすることができる。
【００１０】
一実施態様では，上記未接着の摘み部の少なくとも一部が上記飲料用紙容器の天部に形成された凸状突起部に沿って湾曲している。未接着の摘み部の全体を凸状突起部に沿って湾曲させてもよいし，上記未接着の摘み部の一部を上記凸状突起部に沿って湾曲させてもよい。上記未接着の摘み部の一部を上記凸状突起部に沿って湾曲させる場合，未接着の摘み部の一部を上記凸状突起部の途中まで凸状突起部に沿って湾曲させ，上記摘み部の先端部分については天部および凸状突起部との間にすき間をあけてそのまま（湾曲させずに）延在させてもよく，未接着の摘み部の一部を上記凸状突起部の全体にわたって凸状突起部に沿って湾曲させ，かつ上記摘み部の先端部分については上記天部との間にすき間をあけてそのまま（湾曲させずに）延在させてもよい。摘み部の先端部分と天部の外面との間のすき間に爪ないし指先をかけやすくすることができる。
【００１１】
好ましくは，上記飲み口が，上記天部の内面において上記飲み口の周囲の全体に接着されたフィルムによって塞がれており，上記フィルムと上記タブ部材とが上記飲み口を通じて接着されている。飲み口を天部の内面からもフィルムによって塞ぐことで飲み口を確実に封止することができる。上記フィルムと上記タブ部材とは上記飲み口を通じて接着されているので，タブ部材を引き剥がすときにフィルムを破くことができ，これにより飲み口は開封される。
【００１２】
一実施態様では，上記飲み口が先細に形成されており，上記先細の飲み口の延長線上に上記凸状突起部が形成されている。タブ部材は，凸状突起部に乗り上げている摘み部を指でつまんで飲み口の向きに引っ張ることで引き剥がされるので，飲み口を開封するときに，飲み口は小径（先細）の部分から大径の部分に向かって開封される。タブ部材をスムーズに引き剥がすことができる。
【００１３】
好ましくは，上記タブ部材を上記天部の外面に接着する接着範囲が，上記凸状突起部に向かって先細に設けられている。軽い力でタブ部材の引き剥がしを開始することができる。
【００１４】
上記タブ部材の未接着範囲に押し罫を形成してもよい。上記タブ部材に熱が加えられたときに生じることがある湾曲を抑制することができる。
【図面の簡単な説明】
【００１５】
【図１】飲料用紙容器の平面図である。
【図２】図１のII−II線に沿う飲料用紙容器の端面図である。
【図３】図２のIII−III線に沿う飲料用紙容器の断面図である。
【図４】変形例の飲料用紙容器の平面図である。
【図５】他の変形例の飲料用紙容器の天部の一部拡大端面図である。
【図６】他の変形例の飲料用紙容器の天部の一部拡大端面図である。
【図７】さらに他の変形例の飲料用紙容器の天部の一部拡大端面図である。
【図８】さらに他の変形例の飲料用紙容器の平面図である。
【図９】さらに他の変形例の飲料用紙容器の平面図である。
【図１０】図９に示す飲料用紙容器の天部の一部拡大端面図である。
【図１１】さらに他の変形例の飲料用紙容器の平面図である。
【実施例】
【００１６】
図１は飲料用紙容器１Ａの平面図を，図２は図１のII−II線に沿う飲料用紙容器１Ａの端面図をそれぞれ示している。図３は図２のIII−III線に沿う飲料用紙容器１Ａの断面図を示している。図２および他の図面において，分かりやすくするために，厚さがやや誇張して示されている。
【００１７】
飲料用紙容器１Ａは，円筒状の胴部11と，胴部11の上端を閉じる天部12と，胴部11の下端を閉じる底部13から構成されている。胴部11，天部12，底部13は紙を主成分とし，内面にポリエチレン（ＰＥ）が積層されたものであり，水密性を持つ。外面にポリエチレン（ＰＥ），アルミニウム（ＡＬ）等を積層してもよい。たとえば，内面から外面に向けてポリエチレン，紙，ポリエチレン，アルミニウムおよびポリエチレンをこの順番に積層した積層構造のものが用いられる。
【００１８】
胴部11の上端を閉じる天部12は円形で，その周縁部12Ａが外向きに折曲げられている。外向きに折曲げられた天部12の周縁部12Ａを挟むように胴部11の上端部11Ａが折り返されている。天部12の周縁部12Ａとこれを挟む胴部11の上端部11Ａは全面的に互いに接合（接着，溶着）される。
【００１９】
胴部11の下端を閉じる底部13も円形であり，その周縁部13Ａが外向きに折曲げられ，外向きに折曲げられた周縁部13Ａを挟むように胴部11の下端部11Ｂが折り返されている。底部13の周縁部13Ａとこれを挟む胴部11の下端部11Ｂも全面的に互いに接合（接着，溶着）される。
【００２０】
天部12には飲み口（ストロー差込み開口）14があけられている。飲み口14は，平面から見てしずく形（ティアドロップ形）に，すなわち天部12の中心に向かって先細に形成されている。
【００２１】
さらに天部12の外面（表面）には，弧状の曲面を有するエンボス部（凸状突起部）15が，上記飲み口14から離れて形成されている。エンボス部15は，先細の飲み口14の延長線上（先細の方向）において，先細の飲み口14の向きとほぼ直交する方向にやや細長く形成されている。エンボス部15の長手方向の長さは，次に説明するタブ部材21（摘み部21Ａ）の幅（タブ部材21の長手方向に直交する向きの長さ）よりもやや短い。
【００２２】
天部12の外面には，飲み口14を覆う大きさを持つ長方形のタブ部材21が飲み口14を覆って接着されており，飲み口14はタブ部材21によって外がわから塞がれている。タブ部材21は紙を基材とし，その内面にポリエチレン（ＰＥ）が積層されたものである。図１にはタブ部材21の接着範囲31Ａが一点鎖線によって，図２には太実線によってそれぞれ示されている。タブ部材21は，熱可塑性樹脂による熱溶着により天部12の外面に接着される。接着範囲31Ａに接着剤を設け，接着剤によってタブ部材21を天部12の外面に接着してもよい。
【００２３】
タブ部材21を接着する接着範囲31Ａは，天部12の外面において飲み口14の周囲の全体を取り囲みかつ上記エンボス部15に向かって次第に狭くなるように先細に設けられており，飲み口14から離れて形成されたエンボス部15には達していない。
【００２４】
天部12の外面に接着されたタブ部材21はエンボス部15に向けてのびており，エンボス部15に乗り上げている（被さっている，載っている）。上述したように接着範囲31Ａはエンボス部15には達してはいないので，エンボス部15に向けてのびるタブ部材21の先端部分は，天部12の外面にも，エンボス部15の表面にも，接着されていない。以下，タブ部材21の未接着の先端部分を「摘み部21Ａ」と呼ぶ。
【００２５】
図２，図３を参照して，天部12の内面（裏面）には，飲み口14を覆う大きさをもつ概略方形のフィルム16が飲み口14を覆って接着されており，飲み口14はフィルム16によって内がわからも塞がれている。フィルム16は薄くかつ水密性のものである。図３においてフィルム16の接着範囲31Ｃを一点鎖線によって，図２において太実線によってそれぞれ示す。フィルム16も熱可塑性樹脂を熱溶着することで，または接着剤によって，天部12の内面に接着される。
【００２６】
さらに図１，図２を参照して，飲み口14を外がわから覆うタブ部材21と飲み口14を内がわから覆うフィルム16は，飲み口14を通じて互いに接着されている。飲み口14を通じたタブ部材21とフィルム16との接着範囲31Ｂを，図１において一点鎖線により，図２において太実線により，それぞれ示す。タブ部材21とフィルム16も熱可塑性樹脂を熱溶着することで，または接着剤によって互いに接着される。
【００２７】
上記エンボス部15は，タブ部材21を天部12の外面に接着した後に，天部12の内がわから押型を押し当てることで外向きに突出して形成される。一般には押型を押し当てるときに天部12の外がわには上記押型を受け止める雌型が用意される。これにより，エンボス部15のみならず，タブ部材21の未接着の摘み部21Ａもエンボス部15に沿って外向きに突出して湾曲する。飲料用紙容器１Ａの成形工程において，エンボス部15およびエンボス部15に沿う摘み部21Ａの湾曲を一挙に形成することができる。摘み部21Ａをエンボス部15に沿って湾曲させておくことで，摘み部21Ａが邪魔になりにくい。
【００２８】
上述したように，エンボス部15の長手方向の長さはタブ部材21（摘み部21Ａ）の幅よりも短く，このためエンボス部15の両端部分では，タブ部材21の未接着の摘み部21Ａと天部12との間にすき間があいている。このすき間を利用してタブ部材21の摘み部21Ａ（その縁部）に爪または指先をかけることができ，摘み部21Ａを簡単にめくることができる。めくれた摘み部21Ａを指でつまみ，飲み口14の向きに引っ張ることでタブ部材21は天部12から引き剥がされる。上述したように，飲み口14を通してタブ部材21とフィルム16とが接着されているので，タブ部材21を引き剥がす途中で飲み口14を内がわから覆っているフィルム16が破け，これにより飲み口14が開口する。一般にはストロー（図示略）が開口した飲み口14から紙容器１Ａ内に差し込まれる。タブ部材21を上記天部12の外面に接着する接着範囲31Ａがエンボス部15に向かうにつれて狭められているので，軽い力でタブ部材21の引き剥がしを開始することができる。
【００２９】
タブ部材21の未接着の摘み部21Ａはエンボス部15の突出に沿って外向きに突出しているから，爪ないし指先でめくりやすくなっている。図４に示す変形例の飲料用紙容器１Ｂのように，エンボス部15Ａの長手方向の長さをタブ部材21（摘み部21Ａ）の幅よりも長く形成しても，十分な易開封性（摘み部21Ａのめくりやすさ，つまみやすさ）は確保される。
【００３０】
図５は変形例を示すものである。タブ部材21の未接着の摘み部21Ａはエンボス部15の半分程度（頂点付近）までエンボス部15に沿って湾曲しているが，そこからさらにのびる摘み部21Ａの先端部分21Ｂはエンボス部15に沿っておらず，ほぼ直線的にやや斜め上方にのびている。摘み部21Ａの先端部分21Ｂとエンボス部15ないし天部12との間に広いすき間が確保されるので，摘み部21Ａをめくりやすく，指でつまみやすい。
【００３１】
図６は他の変形例を示すもので，タブ部材21の未接着の摘み部21Ａの長さが長く，エンボス部15を超えてさらにのびる先端部21Ｂを持つ。エンボス部15を超えてのびる摘み部21Ａの先端部分21Ｂはほぼ直線的にかつやや斜め上方にのびている。この変形例も，摘み部21Ａをめくりやすく，指でつまみやすい。
【００３２】
図７はさらに他の変形例を示すもので，タブ部材21の未接着の摘み部21Ａが折り返されている。摘み部21Ａの折り返されている部分の先端はエンボス部15に接している（この接している態様も摘み部21Ａがエンボス部15に乗り上げている（被さっている）態様と考える）。もちろん折り返し部の少なくとも一部をエンボス部15に完全に乗り上げさせてもよい。折り返し部の長さは任意とすることできる。この変形例も摘み部21Ａをめくりやすく指でつまみやすい。
【００３３】
図８はさらに他の変形例の飲料用紙容器１Ｃを示している。図１に示す飲料用紙容器１Ａとは，エンボス部15Ｂが平面から見て円形である点が異なる。このようにエンボス部15Ｂを比較的小さい（狭い）範囲に形成してもよい。この変形例においてもタブ部材21の未接着の摘み部21Ａが外向きに湾曲し，しかも摘み部21Ａと天部12との間にすき間が確保されるから，爪ないし指先をかけやすく，摘み部21Ａをつまみやすい。複数の円形のエンボス部15Ｂを互いに間隔をあけて形成してもよい。
【００３４】
図９はさらに他の変形例の飲料用紙容器１Ｄを示している。図１０は図９に示す飲料用紙容器の天部の一部拡大端面図である。図１に示す飲料用紙容器１Ａとは，直線状の押し罫（凹部）41が，タブ部材21の幅方向に形成されている点が異なる。押し罫41はタブ部材21の未接着範囲（接着範囲31Ａとエンボス部15との間）に形成される。
【００３５】
上述したように，タブ部材21は紙を基材とし，その内面にポリエチレン（ＰＥ）が積層されたものである。ポリエチレンは熱が加えられることで僅かにシュリンクするので，タブ部材21を天部12の外面に熱溶着するとき，タブ部材21（未接着範囲）は内がわに向けて湾曲（カール）しやすい。図９および図１０に示すように押し罫41をタブ部材21に形成しておくことによってタブ部材21の湾曲を抑制することができる。
【００３６】
図１１に示すように，接着範囲31Ａの先細の先端形状に沿うように，Ｖ字形の押し罫41ａをタブ部材21に形成してもよい。
【符号の説明】
【００３７】
１Ａ，１Ｂ，１Ｃ，１Ｄ  飲料用紙容器
12  天部
13  底部
14  飲み口
15，15Ａ，15Ｂ  エンボス部（凸状突起部）
21  タブ部材
21Ａ  摘み部
21Ｂ  摘み部の先端部分
31Ａ，31Ｂ，31Ｃ  接着範囲
41，41ａ  押し罫
【図１】
2019034796.tif 000003
【図２】
2019034796.tif 000004
【図３】
2019034796.tif 000005
【図４】
2019034796.tif 000006
【図５】
2019034796.tif 000007
【図６】
2019034796.tif 000008
【図７】
2019034796.tif 000009
【図８】
2019034796.tif 000010
【図９】
2019034796.tif 000011
【図１０】
2019034796.tif 000012
【図１１】
2019034796.tif 000013